(57)【要約】コンピューターにより実行される方法であって、該方法は：ユーザーにトーナメントデータの入力を促す入力インターフェースを表示する工程；トーナメントデータを受信する工程；ユーザーにスコアボードデータの入力を促す入力インターフェースを表示する工程；スコアボードデータを受信する工程；トーナメントデータに従ってコンピューターゲームトーナメントを操作する工程；スコアボードデータおよびトーナメントの操作によって生成されたデータに従って、操作されるトーナメント用にカスタマイズされた、カスタマイズされたトーナメントスコアボードを生成する工程；カスタマイズされたトーナメントスコアボードにプレーヤー情報を表示する工程、を含む。【選択図】なし【特許請求の範囲】
【請求項１】
コンピューターにより実行される方法であって、該方法は：
ユーザーにトーナメントデータの入力を促す入力インターフェースを表示する工程；
トーナメントデータを受信する工程；
ユーザーにスコアボードデータの入力を促す入力インターフェースを表示する工程；
スコアボードデータを受信する工程；
トーナメントデータに従ってコンピューターゲームトーナメントを操作する工程；
スコアボードデータおよびトーナメントの操作によって生成されたデータに従って、操作されるトーナメント用にカスタマイズされた、カスタマイズされたトーナメントスコアボードを生成する工程；
カスタマイズされたトーナメントスコアボードにプレーヤー情報を表示する工程、
を含む方法。
【請求項２】
カスタマイズされたトーナメントスコアボードを指すＵＲＬを生成する工程；およびローカルディスプレイシステムおよび／または報通信システムに、カスタマイズされたトーナメントスコアボードを表示させるＵＲＬにアクセスする工程をさらに含むことを特徴とする、請求項１に記載の方法
【請求項３】
プレーヤー情報には、プレーヤーに関連する画像、およびプレーヤーに関連する名前、および操作されたトーナメントにおいてプレーヤーによって達成されたスコアが含まれることを特徴とする、請求項２に記載の方法。
【請求項４】
スコアボードデータは、背景画像、賞品画像およびスポンサー画像の少なくとも１つを含むことを特徴とする、請求項２に記載の方法。
【請求項５】
スコアボードデータはオーディオトラックを含むことを特徴とする、請求項２に記載の方法。
【請求項６】
コンピューターにより実行される方法であって、該方法は：
第１のユーザーにトーナメントデータの入力を促す第１の入力インターフェースを表示する工程；
トーナメントデータを受信する工程；
第１のユーザーにスコアボードデータの入力を促す第２の入力インターフェースを表示する工程；
第１のユーザーからスコアボードデータを受信する工程；
追加のスコアボードデータを入力するように第２のユーザーに促す第３の入力インターフェースを表示する工程；
スコアボードデータおよび追加のスコアボードデータを受信する工程；
トーナメントデータに従ってコンピューターゲームトーナメントを操作する工程；
スコアボードデータと追加のスコアボードと、トーナメントの操作によって生成されたデータに従って、操作されるトーナメント用にカスタマイズされた、カスタマイズされたトーナメントスコアボードを生成する工程；
カスタマイズされたトーナメントスコアボードにプレーヤー情報を表示する工程、
を含む方法。
【請求項７】
カスタマイズされたトーナメントスコアボードを指すＵＲＬを生成する工程；およびローカルディスプレイシステムおよび／または報通信システムに、カスタマイズされたトーナメントスコアボードを表示させるＵＲＬにアクセスする工程をさらに含むことを特徴とする、請求項６に記載の方法。
【請求項８】
コンピューターにより実行される方法であって、該方法は：
トーナメントデータを受信するように構成された電子トーナメント生成装置を操作する工程；
１つ以上のメトリクスに従ってトーナメントデータのいくつかを特徴づける工程；
コンピューターをベースにした複数のゲームトーナメントを操作する工程；
トーナメントに参加するプレーヤーに関する出力データを受信する工程；
データベースにデータを記憶する工程；
メトリクスを選択するようにユーザーに促す工程；
データベースに記憶されたデータに基づいて、選択されたメトリクスの１つに従ってデータを体系づける工程；および
出力データメトリクスへの選択されたメトリクスを、トーナメントから生成された出力データに一致させる工程、
を含む方法。
【請求項９】
トーナメントデータは、開催地、賞品、スポンサーおよびトーナメントの種類の１つ以上を含むことを特徴とする、請求項８に記載の方法。
【請求項１０】
出力データを受信する工程は、トーナメントでプレーする性別ごとのプレーヤー数、およびプレーヤーの地理的位置の受信を含むことを特徴とする、請求項８に記載の方法。
【請求項１１】
レポートを生成する工程は、ユーザへの、個々のメトリクスに関する計数の返信を含むことを特徴とする、請求項８に記載の方法。
【請求項１２】
出力データは、プレーヤーの数、得点、ランク、ＩＤ名、年齢、プロフィール、性別、地理的な位置のいずれか１つ以上を含むことを特徴とする、請求項８に記載の方法。
【請求項１３】
１つ以上のメトリクスは、賞品の種類、賞品の金銭価値、開催地の座席定員、開催地の位置、トーナメントの時刻、スポンサーの業種のいずれか１つ以上を含むことを特徴とする、請求項８に記載の方法。
【請求項１４】
各ユーザーに特有の複数のトーナメントを生成するためにトーナメント生成装置を操作する複数のユーザーであって、各トーナメントに関する出力データは、特定のトーナメントを操作しているそれぞれのユーザーにとってアクセス可能である、複数のユーザー；
ユーザーによって生成されたトーナメントからのトーナメントデータメトリクスおよび出力データを組み合わせる工程、およびユーザーにとってアクセス可能であり、かつ組み合わされたトーナメントデータメトリクスと出力データを含むグローバルレポートを生成する工程
をさらに含むことを特徴とする、請求項８に記載の方法。
【請求項１５】
グローバルレポートのメトリクスは、開催地メトリクス、賞品メトリクス、トーナメントの種類およびスポンサーメトリクスの１つ以上を含むことを特徴とする、請求項１４に記載の方法。
【請求項１６】
電子ゲームトーナメントを生成するためのシステムであって、該システムは、プロセッサーおよび記憶された指示を有するメモリを含み、該システムが実行されるとプロセッサーは：
ユーザーにトーナメントデータの入力を促す入力インターフェース；
ユーザーにスコアボードデータの入力を促す入力インターフェース；
トーナメントデータによるコンピューターゲームトーナメント；
スコアボードデータおよびトーナメントの操作によって生成されたデータに従って、操作されるトーナメント用にカスタマイズされた、カスタマイズされたトーナメントスコアボード；
カスタマイズされたトーナメントスコアボードへのプレーヤー情報の表示
を生成する、
システム。
【請求項１７】
電子ゲームトーナメントからのメトリクスのレポートを生成するためのシステムであって、該システムはプロセッサーおよび記憶された指示を有するメモリを含み、該システムが実行されるとプロセッサーは：
１つ以上のメトリクスに従って、トーナメントデータおよびいくつかのトーナメントデータの特徴づけを受信するように構成された電子トーナメント生成装置；
コンピューターをベースにした複数のゲームトーナメント；
トーナメントに参加するプレーヤーに関する出力データ；
トーナメントデータおよび出力データのデータベース；
ユーザーにメトリクスを選択させるプロンプト；
データベースに記憶されたデータに基づいて、選択されたメトリクスの１つに係る体系化された形式のデータ；および
出力データメトリクスへの選択されたメトリクスを、トーナメントから生成された出力データに一致させるレポート
を生成する、
システム。
【発明の詳細な説明】
【技術分野】
【０００１】
＜関連出願への相互参照＞
本出願は、２０１７年４月７日に出願された米国仮特許出願第６２／３１９，４１１号の優先権を主張し、その全体が参照により本書に本明細書に組み込まれる。
【０００２】
本発明は、そのいくつかの実施形態で、電子ゲーム用社会特徴を実装するためのソフトウェアおよびハードウェアのために電子ゲームに、およびより具体的には関する。
【背景技術】
【０００３】
電子ゲームの分野は、デスクトップおよびラップトップコンピューターなどの静止しているデバイスおよびモバイルコンピューティングデバイス用ゲーミングに関する、携帯電話、錠剤、静止していてポータブルなコンソール。
【０００４】
シングルプレーヤーおよび多人数ゲームは、娯楽の目的のために毎日リリースされる。有線および無線通信の浸透している性質による、プレーヤーコミュニティーはいくつかの多人数ゲームの周囲で構築された。その結果、社会面は電子ゲームの周囲で発展した。
【発明の概要】
【０００５】
本発明の目的は、賞品と共にトーナメントを生成することにより、プレーヤー用社会ゲーミング体験を高めることである。本特許出願の別の目的は、プレーヤーに係合するために支持し広告して許可する広告用具として、これらのトーナメントを使用することである。
【０００６】
この目的のために、本発明のいくつかの実施形態は、電子ゲームデバイス用、および広告主がそれらの商標、および／または産物、および／またはサービスの広告のためにそのようなトーナメントを使用することを許可するためのトーナメントを生成するためのシステムに関する。
【０００７】
変化形体では、カスタマイズされたスコアボードは、実施された各コンピューターゲームトーナメントのために生成される。
【０００８】
別の変化形体では、コンピューターにより実行される方法は：ユーザーにトーナメントデータの入力を促す入力インターフェースを表示する工程；トーナメントデータを受信する工程；ユーザーにスコアボードデータの入力を促す入力インターフェースを表示する工程；スコアボードデータを受信する工程；トーナメントデータに従ってコンピューターゲームトーナメントを操作する工程；スコアボードデータおよびトーナメントの操作によって生成されたデータに従って、操作されるトーナメント用にカスタマイズされた、カスタマイズされたトーナメントスコアボードを生成する工程；カスタマイズされたトーナメントスコアボードにプレーヤー情報を表示する工程、を含む。
【０００９】
さらなる変化形体では、方法は、カスタマイズされたトーナメントスコアボードを指すＵＲＬを生成する工程；およびローカルディスプレイシステムおよび／または報通信システムに、カスタマイズされたトーナメントスコアボードを表示させるＵＲＬにアクセスする工程をさらに含む。
【００１０】
プレーヤー情報には、プレーヤーに関連する画像、およびプレーヤーに関連する名前、および操作されたトーナメントにおいてプレーヤーによって達成されたスコアが含まれる。
【００１１】
またさらなる変形において、方法は、背景画像、賞品の画像およびスポンサー画像の少なくとも１つを含む。スコアボードデータは随意にオーディオトラックを含み得る。
【００１２】
変化形体では、コンピューターにより実行される方法は：第１のユーザーにトーナメントデータの入力を促す第１の入力インターフェースを表示する工程；トーナメントデータを受信する工程；第１のユーザーにスコアボードデータの入力を促す第２の入力インターフェースを表示する工程；第１のユーザーからスコアボードデータを受信する工程；追加のスコアボードデータを入力するように第２のユーザーに促す第３の入力インターフェースを表示する工程；スコアボードデータおよび追加のスコアボードデータを受信する工程；トーナメントデータに従ってコンピューターゲームトーナメントを操作する工程；スコアボードデータと追加のスコアボードと、トーナメントの操作によって生成されたデータに従って、操作されるトーナメント用にカスタマイズされた、カスタマイズされたトーナメントスコアボードを生成する工程；カスタマイズされたトーナメントスコアボードにプレーヤー情報を表示する工程、を含む。
【００１３】
別の変化形体では、方法は、カスタマイズされたトーナメントスコアボードを指すＵＲＬを生成する工程、およびローカルディスプレイシステムおよび／または報通信システムに、カスタマイズされたトーナメントスコアボードを表示させるＵＲＬにアクセスする工程をさらに含む
【００１４】
さらなる変化形体では、コンピューターにより実行される方法は、トーナメントデータを受信するように構成された電子トーナメント生成装置を操作する工程を含む。トーナメントデータには、例えば、賞品、開催地、日付、ゲーム内、ソーシャルメディア、マスメディアトーナメント、スポンサーが含まれる。方法は、１つ以上のメトリクスに従ってトーナメントデータのいくつかを特徴づける工程；コンピューターをベースにした複数のゲームトーナメントを操作する工程；トーナメントに参加するプレーヤーに関する出力データを受信する工程；データベースにデータを記憶する工程；メトリクスを選択するようにユーザーに促す工程；データベースに記憶されたデータに基づいて、選択されたメトリクスの１つに従ってデータを体系づける工程；および、出力データメトリクスへの選択されたメトリクスを、トーナメントから生成された出力データに一致させる工程、を含む。
【００１５】
場合によっては、トーナメント発生装置またはサードパーティ、データへのアクセスは、特定のメトリクスによるデータのいくつかを特徴づける。例えば、スポーツチームがトーナメントを有しており、トーナメントを生成した人々が適切に賞品を特徴づけない場合、サードパーティ（例えばシステムの従業員）はメトリクスを入力した。
【００１６】
方法のさらに別の変化形体では、トーナメントデータは以下の１つ以上を含む：開催地、賞品、スポンサー名およびトーナメントの種類。トーナメントが公衆にどのように知られているまたは宣伝されているかによって、トーナメント種類は定義され得る。例えばスポーツイベント中のソーシャルメディア、テレビ放送、インターネット。
【００１７】
方法のさらなる変形において、出力データを受信する工程は、トーナメントでプレーした男性および女性のプレーヤーの数、およびプレーヤーの地理的位置を受信することを含む。
【００１８】
さらなる変化形体では、レポートを生成する工程は、ユーザーへの、個々のメトリクスに関する計数の返信を含む。
【００１９】
別の変化形体では、出力データは、プレーヤーの数、得点、ランク、ＩＤ名、年齢、プロフィール、性別、地理的な位置のいずれか１つ以上を含む。
【００２０】
変化形体では、１つ以上のメトリクスは、賞品の種類、賞品の金銭価値、開催地の座席定員、開催地の位置、トーナメントの時刻、スポンサーの業種のいずれか１つ以上を含む。
【００２１】
各ユーザーに特有の複数のトーナメントを生成するためにトーナメント生成装置を操作する複数のユーザーであって、各トーナメントに関する出力データは、特定のトーナメントを操作しているそれぞれのユーザーにとってアクセス可能である、複数のユーザー；ユーザーによってされたトーナメントからのトーナメントデータメトリクスおよび出力データを工程、およびユーザーにとってアクセス可能であり、かつ組み合わされたトーナメントデータメトリクスと出力データを含むグローバルレポートを生成する工程、を含む。
【００２２】
さらに別の変化形体では、グローバルレポート内のメトリクスは、開催地メトリクス、賞品メトリクス、トーナメントの種類およびスポンサーメトリクスの１つ以上を含む。
【００２３】
他の特徴および発明の態様は、例として、発明の実施形態に従って特徴を例証する添付の図面と併用される、次の詳細な説明から明白になるだろう。概要は、本発明の範囲を制限するようには意図されない。それはもっぱら本明細書に付属された請求項によって定義される。
【図面の簡単な説明】
【００２４】
本発明は、１つ以上の様々な実施形態に従って、以下の図に関して詳細に記載される。図面は例証のみの目的のために提供され、また、単に、本発明の典型的な実施形態または例的な実施形態を図解する。これらの図面は、読み手の本発明の理解を容易にするために提供され、本発明の幅、範囲または適用可能性を制限しないように考慮されるものとする。例証の明確さおよび容易さのために、これら図面は同一縮尺である必要はないことに、注目するべきである。
【図１Ａ】モバイルゲームトーナメントを生成するための本発明のシステムを例示するブロック図である。
【図１Ｂ】モバイルゲームトーナメントを生成するための本発明のシステムを例示するブロック図である。
【図２Ａ】サーバー中で実装された本発明のシステムのブロック図である。
【図２Ｂ】サーバー中で実装された本発明のシステムのブロック図である。
【図３】トーナメント管理者ポータルを例示するブロック図である。
【図４】広告主ポータルを例示するブロック図である。
【図５】トーナメント生成モジュールに関する詳細を例示するブロック図である。
【図６】基本データ入力モジュールの例のダイアグラムである。
【図７】スコアボード生成モジュールを例示するブロック図である。
【図８】トーナメント用の促進スクリーン生成モジュールからのブロック図の例示するアウトプットである。
【図９】広告（４９９）で最終のスコアボード画面の画面図である。
【図１０】広告（４９９）で最終のスコアボード画面の画面図である。
【図１１】広告（４９９）で最終のスコアボード画面の画面図である。
【図１２】広告（４９９）で最終のスコアボード画面の画面図である。
【図１３】広告（４９９）で最終のスコアボード画面の画面図である。
【図１４】広告（４９９）で最終のスコアボード画面の画面図である。
【図１５】ゲーム画面生成モジュールを例示するブロック図である。
【図１６】スポンサー画像が挿入されるゲームの異なる画面を示す。
【図１７】スポンサー画像が挿入されるゲームの異なる画面を示す。
【図１８】スポンサー画像が挿入されるゲームの異なる画面を示す。
【図１９】ダッシュボードの生成を例示するブロック図である。
【図２０】ダッシュボードモジュールを例示するブロック図である。
【図２１】カレンダー画面である。
【図２２】同じ日付の異なるダッシュボードを示す画面である、開かれる。
【図２３】ダッシュボードの図的表現を示す画面である。
【図２４】トーナメント管理者レポートモジュールを示す。
【図２５】広告主レポートモジュールを示す。
【図２６】トーナメントレポートを示し、各トーナメントはそれぞれのウィンドウに関係する。
【図２７】賞品レポートである。
【図２８】開催地レポートである。
【図２９】広告主レポートである。
【図３０】全てのトーナメント管理者および広告主に提供可能なグローバルデータレポートを生成するために異なる広告主／開催地からのデータ処理を示すブロック図である、。
【発明を実施するための形態】
【００２５】
随時に、本発明は、実施例環境の観点から本明細書に記載される。これらの環境の観点からの説明は、本発明の様々な特徴および実施形態が、模範的な出願の内容において描写されることを可能にするために提供される。この記載を読んだ後、本発明が異なった環境および代替的な環境においてどのように実施されうるのかが、当業者に明らかとなるだろう。
【００２６】
別途定義されていない限り、本明細書に使用される全ての技術的用語および科学的用語は、この発明が属する当業者によって普通に理解されるような、同様な意味を有する。本明細書において引用された全ての特許、出願、公開された出願および他の刊行物は、それら全体を参照することによって組み込まれる。この段落において明らかされる定義が、参照によって本明細書に組込まれる出願、公開された出願、および他の刊行物において明らかにされる定義に反する場合、またはそうでなければ、それらと一致しない場合、この明細書において述べられた定義は、参照によって本明細書に組込まれる定義に勝る。
【００２７】
本出願の記載する実施形態の前に、用語「ツール」、「ユーティリティ」および「モジュール」が１つ以上の機能の実行のために構成されたソフトウェアおよび／またはハードウェア要素を含む単位を指すことは理解されるに違いない。
【００２８】
図１Ａがここで言及される。それは、モバイルゲームトーナメントを生成するための本発明のシステムを例示するブロック図である。システムはトーナメント管理者ポータル（２００）を含む。トーナメント管理者ポータルはトーナメント管理者確認／認証モジュール（３００）、トーナメント生成ツール／モジュール（４００）および個人データレポートツール（６０２）、およびグローバルレポートツール（６０４）を含む。確認／認証モジュール（３００）は、管理者（１００）（ユーザー名、パスワード、または他のいかなる利用可能な認証方法を介して）の正体を認証しトーナメント管理者（１００）（図２）がポータル（２００）のツール／モジュールにアクセスすることを許可するために構成される。個々のものは、管理者（１００）の過去の活動に関するアクセス情報にツール（６０２）が構成されると報告し、１つ以上のレポートを生成する。グローバルレポートツール（６０４）は複数のトーナメント管理者の過去の活動および複数の広告主の随意にを示すデータに基づいたレポートを生成するように構成される。トーナメント生成モジュール（４００）はトーナメント管理者（１００）から入力を受信するために構成される、および入力に従ってモバイルゲームトーナメントを生成する。生のトーナメントデータベース（４０１）は、トーナメント生成ツール（４００）によって生成されたトーナメントを示す未完成のデータの記憶のために構成される。最終トーナメントデータベース（４０３）は、トーナメント生成ツール（４００）によって生成されたトーナメントを示す記憶を完成したデータのために構成される。
【００２９】
ここで図１Ｂを参照すると、別の変化形体では、モバイルゲームトーナメントを生成するための本発明のシステムの変化形体がブロック図に例示される。システムはトーナメント管理者ポータル（２００）、および随意に広告主ポータル（７００）を含む。トーナメント管理者ポータルはトーナメント管理者確認／認証モジュール（３００）、トーナメント生成ツール／モジュール（４００）およびレポートモジュール／ツール（６００）を含む。確認／認証モジュール（３００）は、管理者（１００）（ユーザー名、パスワード、または他の任意の利用可能な認証方法を介して）の正体を認証しトーナメント管理者（１００）（図２）がポータル（２００）のツール／モジュールにアクセスすることを許可するために構成される。トーナメント管理者はモバイルゲームトーナメントを生成したいあらゆる存在の代表である。そのような存在の非限定的な例はスポーツチーム、競技場、スタジアム、イベント主催者（コンサート、会議等）、開催地（レストラン、バー、モール、映画館等）、ラジオ放送局（テレビ局）、ウェブ放送ステーション等を含み得る。
【００３０】
トーナメント生成モジュール（４００）はトーナメント管理者（１００）から入力を受信するために、および入力に従ってモバイルゲームトーナメントを生成するように構成される。生のトーナメントデータベース（４０１）は、トーナメント生成ツール（４００）によって生成されたトーナメントを示す未完成のデータの記憶のために構成される。最終トーナメントデータベース（４０３）は、トーナメント生成ツール（４００）によって生成されたトーナメントを示す完成データの記憶のために構成される。
【００３１】
レポートモジュール（６００）（図３を参照）は個々のレポートツール（６０２）（図１Ａ、１Ｂ）を含み得、それは管理者（１００）の過去の活動に関するアクセス情報、および１つ以上のレポートを生成するように構成される。随意に、レポートモジュール（６００）はさらにグローバルレポートツール（６０４）を含む。それは複数のトーナメント管理者の過去の活動および随意に複数の広告主のデータに基づいたレポートを生成するように構成される。
【００３２】
本発明のいくつかの実施形態では、システムはさらに広告主ポータル（７００）を含む。それは、広告主がトーナメント管理者によって生成されたトーナメントのサービスおよび／または産物を広告することを許可するために構成される。広告主ポータルは広告主確認／認証ツール（７０２）、広告キャンペーンツール（７０４）および随意にレポートツール／モジュール（７０６）を含む（図４を参照）。
【００３３】
確認／認証ツールは、広告主（１０２）の正体を（ユーザー名、パスワード、または他の任意の利用可能な認証方法を介して）認証し、広告主（１０２）が広告主ポータル（７００）のツール／モジュールにアクセスすることを許可するために構成される。広告主は、広告キャンペーンツール（７０４）によってトーナメント管理者によって生成された将来のトーナメントを見て、１つ以上の将来のトーナメントにおいて広告することができるか、支持することができる。レポートツール／モジュール（７０６）はレポートが広告主によって生成され見られることを許可するために構成される。そのレポートはグローバルレポートまたは個々の広告主に特定のものであり得る。
【００３４】
本発明のいくつかの実施形態では、システムはトランザクションモジュール（７０７）を含み、それは広告主に関連する金融存在からトーナメント管理者に関連する金融存在への資金移動を許可する。
【００３５】
サーバー（１０３）に実装された本発明のシステムのブロック図である図２Ａがここで言及される。サーバー（１０３）は、処理ユーティリティ（図示せず）中の本発明のシステムの異なるモジュールの実行のために構成される。トーナメント管理者（１００）は、１つ以上のトーナメントを生成するためにトーナメント生成モジュール（４００）を使用し、最終トーナメントデータ（４８１）を産出する。最終トーナメントデータ（４８１）はサーバーのストレージユーティリティー（１０５）に保存される。トーナメント管理者（１００）からのインストラクションはトーナメント操作モジュール（１０７）に供給される。トーナメントは開始されるかもしれないし、終了し、入力されたトーナメント管理者、および予め決められたトーナメント操作入力情報データ（１１５）に従って作動させる。静的または動的なＵＲＬへの静的または動的画像を示すトーナメント操作モジュールは、スコアボード画面データ（例えば、映画が提出する画像ファイルおよび／またはＸＭＬファイルと共に）を出力する。スコアボード画面は、画像、一連の画像、生き生きした画像またはトーナメントのプロモートのために構成された映画、ならびにトーナメントに関与する有望なユーザーである。スコアボード画面データは、トーナメント満了中に、および満了の後にプレーヤー実行およびランキングに関する情報を含んでいる。スコアボード画面データは広告またはスポンサー商標を含んでいる。１つ以上の開催地（例えばスタジアムまたは競技場のより大きい画面、またはモール、映画館等の画面）の１つ以上のローカルディスプレイに放送されるローカルディスプレイシステムのウェブブラウザはＵＲＬにアクセスすることができる。随意にまたは代替的に、ＵＲＬは、複数のユーザーディスプレイ（テレビ受像機、デスクトップコンピューター、ラップトップコンピューター、タブレットコンピューター、携帯型の通信装置、スマートフォン等）に連結された報通信システム（などのテレビまたはウェブ放送装置）によってアクセスされるかもしれない。一斉送信へのオーバーレイでのように、ＵＲＬのグラフィックスが示されるかもしれない。トーナメント操作モジュール（１０７）はさらにＡＰＩ  １１１に関係するゲームモジュール（１０９）とインタラクトする。ゲームモジュールは、ゲームモジュールに関連するＵＲＬにアクセスするウェブブラウザを有するプレーヤー装置（１１３）によってプレーヤーにアクセス可能である。ゲームモジュールがいかなる第三者ゲームモジュールかもしれないことが留意されるべきである。ＡＰＩ  １１１は、ゲームモジュールおよびトーナメント操作モジュールとの間の伝達を可能にする。随意に、ゲームモジュール中の少なくとも１つのパラメータは最終トーナメントデータに依存する。パラメータは例えば、ゲームモード、またはゲーム画面（例えばバナー、映画など）に挿入されるグラフィックスを含み得る。
【００３６】
ＡＰＩ  １１１は、トーナメント操作モジュール（１０７）がトーナメント操作入力情報データ（１１５）による複数のプレーヤーからの勝利者を判定することを許可して、トーナメント操作モジュール（１０７）にプレーヤーのスコアを伝える。随意に、プレーヤー装置は、プレーヤー識別子（例えばユーザー名、Ｆａｃｅｂｏｏｋなどのパスワード（すなわち第三者ログイン）、グーグル＋、あるいは他の任意）を介してゲームモジュール連結される。随意に、ＡＰＩは、プレーヤー識別子（例えば電子メールアドレス、ロケーション等）に関係するプレーヤー情報を得るために構成される。プレーヤー情報がユーザーのコンタクト情報（例えば電子メールアドレスまたは電話番号）を含んでいる場合、トーナメント生成モジュール（１０７）は既知のコンタクト情報を介してプレーヤーへのメッセージを、プレーヤーが勝ったとプレーヤーに通知するために、および賞品を主張する方法をプレーヤーに教えるために、自動的に送信するように構成され得る。賞品は実際の賞品かもしれないし、または実数の賞品に関して買い戻し可能な電子クーポンを含むかもしれない。電子クーポンのグラフィックスおよびテキストについての詳細は、トーナメント生成モジュールおよび／または広告キャンペーンモジュールに入力され、最終トーナメントデータ（４８１）に含まれている。
【００３７】
別の変化形体では、図２Ｂを参照すると、本発明のシステムの変化形体のブロック図は、サーバー（１０３）に実装される。サーバー（１０３）は、処理ユーティリティ（図示せず）中の本発明のシステムの異なるモジュールの実行のために構成される。トーナメント管理者（１００）は、１つ以上のトーナメントを生成するためにトーナメント生成モジュール（４００）を使用し、トーナメントデータを産出する。トーナメントデータは最終的な形態（最終トーナメントデータ（４８１））であり得る、または最終トーナメントデータ（４８１）に変換され、広告キャンペーンモジュール（７０４）によって、広告主（１０２）によって編集され得る。
【００３８】
最終トーナメントデータ（４８１）はサーバーのストレージユーティリティー（１０５）に保存され、トーナメント管理者（１００）またはさらに以下に説明されるようにトーナメントの実施を制御するのにそれらのエージェントの許可のために構成されたダッシュボード／コントロールパネルを生成するためにダッシュボードモジュール（５００）によって回収される。
【００３９】
ダッシュボード／コントロールパネルによって、トーナメント管理者は、従来生成されたトーナメントを起動することができる。トーナメント管理者（１００）からのインストラクションはトーナメント操作モジュール（１０７）に供給される。トーナメントは、予め決められたトーナメント操作入力情報データ（１１５）に従って、入力されたトーナメント管理者により、開始、終了、および作動され得る。静的または動的なＵＲＬへの静的または動的画像を示すトーナメント操作モジュールは、スコアボード画面データ（例えば、映画が提出する画像ファイルおよび／またはＸＭＬファイルと共に）を出力する。スコアボード画面は、画像、一連の画像、生き生きした画像またはトーナメントのプロモートのために構成された映画、ならびにトーナメントに関与する有望なユーザーである。スコアボード画面データは、トーナメント満了中に、および満了の後にプレーヤーの実行およびランキングに関する情報を含んでいる。スコアボード画面データは広告またはスポンサー商標を含んでいる。１つ以上の開催地（例えばスタジアムまたは競技場のより大きい画面、またはモール、映画館等の画面）の１つ以上のローカルのディスプレイに放送されるローカルディスプレイシステムのウェブブラウザはＵＲＬにアクセスすることができる。随意にまたは代替的に、ＵＲＬは、複数のユーザーディスプレイ（テレビ受像機、デスクトップコンピューター、ラップトップコンピューター、タブレットコンピューター、携帯型の通信装置、スマートフォン等）に連結された、中央の放送装置（テレビまたはウェブ放送装置等）によってアクセスされ得る。一斉送信へのオーバーレイでのように、ＵＲＬのグラフィックスが示され得る。
【００４０】
トーナメント操作モジュール（１０７）は、さらにＡＰＩ  １１１に関係するゲームモジュール（１０９）とインタラクトする。ゲームモジュールはゲームモジュールに関連するＵＲＬにアクセスするウェブブラウザを有するプレーヤー装置（１１３）によってプレーヤーにアクセス可能である。ゲームモジュールは任意の第三者ゲームモジュールであり得ることが留意されるべきである。ＡＰＩ  １１１は、ゲームモジュールおよびトーナメント操作モジュールとの間の伝達を可能にする。随意に、ゲームモジュール中の少なくとも１つのパラメータは最終トーナメントデータに依存する。パラメータは例えば、ゲームモード、またはゲーム画面（例えばバナー、映画など）に挿入されるグラフィックスを含み得る。
【００４１】
ＡＰＩ  １１１は、トーナメント操作モジュール（１０７）がトーナメント操作入力情報データ（１１５）による複数のプレーヤーからの勝利者を判定することを許可して、トーナメント操作モジュール（１０７）にプレーヤーのスコアを伝える。随意に、プレーヤー装置は、プレーヤー識別子（例えばユーザー名、Ｆａｃｅｂｏｏｋなどのパスワード（すなわち第三者ログイン）、グーグル＋、あるいは他の任意）を介してゲームモジュール連結される。随意に、ＡＰＩは、プレーヤー識別子（例えば電子メールアドレス、ロケーション等）に関係するプレーヤー情報を得るために構成される。プレーヤー情報がユーザーのコンタクト情報（例えば電子メールアドレスまたは電話番号）を含んでいる場合、トーナメント生成モジュール（１０７）は既知のコンタクト情報を介してプレーヤーへのメッセージを、プレーヤーが勝ったとプレーヤーに通知するために、および賞品を主張する方法をプレーヤーに教えるために、自動的に送信するように構成され得る。賞品は実際の賞品かもしれないし、または実数の賞品に関して買い戻し可能な電子クーポンを含むかもしれない。電子クーポンのグラフィックスおよびテキストについての詳細は、トーナメント生成モジュールおよび／または広告キャンペーンモジュールに入力され、最終トーナメントデータ（４８１）に含まれている。
【００４２】
随意に、トーナメント操作モジュール（１０７）はトーナメント出力データ（１１７）を集めるために構成される、プレーヤー識別、プレーヤーコンタクト情報、一般的なプレーヤー情報（利用可能な場合、名前、性別、年齢）、プレーヤーによってなされた巻数、各プレーヤーによってなされた時間の長さなどの１つ以上のパラメータを含んでもよい。随意に、トーナメント出力データ（１１７）はストレージユーティリティー（１１５）に保存され、それぞれのレポートモジュール（６００）および（７０６）を介して、トーナメント管理者（１００）および／または広告主（１０２）にアクセス可能である。
【００４３】
図３はトーナメント管理者ポータル（２００）を例示するブロック図である。トーナメント管理者ポータル（２００）は確認／認証モジュール（３００）およびトーナメント生成モジュール（４００）を含む。随意に、レポートモジュール（６００）および／またはダッシュボードモジュール（５００）がトーナメント管理ポータルに含まれる。レポートモジュール（６００）を介してトーナメント管理者に見えるデータは、トーナメント管理者によって代表された存在およびトーナメント管理者ポータルを操作する存在との間の予め決められた協定によって制限されてることが留意されるべきである。随意に、トーナメント管理者に利用可能なトーナメント生成モジュールおよび／またはダッシュボードモジュールの機能は、前記予め決められた合意に従って制限され得る。
【００４４】
図４は広告主ポータル（７００）を例示するブロック図である。広告主ポータル（７００）は確認／認証モジュール（７０２）、広告キャンペーンモジュール（７０４）および随意に広告主レポートモジュール（７０４）を含む。レポートモジュール（６００）を介してトーナメント管理者に見えるデータは、トーナメント管理者によって代表された存在およびトーナメント管理者ポータルを操作する存在との間の予め決められた協定によって制限されてることが留意されるべきである。随意に、トーナメント管理者に利用可能なトーナメント生成モジュールおよび／またはダッシュボードモジュールの機能は、前記予め決められた合意に従って制限され得る。
【００４５】
図５はトーナメント生成モジュールに関する詳細を例示するブロック図である。本発明のいくつかの実施形態では、トーナメント生成モジュール（４００）は基本データ入力モジュール（４０２）、および随意に、スコアボード生成モジュール（４０４）および／またはゲーム画面生成ツール（４０６）を含む。
【００４６】
ゲーム画面生成モジュール（４０６）は促進画面生成モジュール（４０４）に類似する。それがゲームの画面解像度上でベースのように、ゲーム画面生成モジュール（４０６）には解像度ツールがあってもなくてもよい。
【００４７】
基本データ入力モジュール（４０２）の一例は図６に例示される。基本データ入力モジュール（４０２）は、トーナメント管理者がトーナメント生成に必要なトーナメントおよび入力データを生成することを許可するために構成される。
【００４８】
基本データ入力モジュールはゲーム選択モジュール（４１０）、トーナメント種類モジュール（４１１）、トーナメント説明モジュール（４１２）（随意）、トーナメント日付モジュール（４１４）、賞品モジュール（４１６）、オートメーションモジュール（４１８）および直列モジュール（４２０）を含む。
【００４９】
ゲーム選択モジュール（４１０）は、予め決められたゲームライブラリからゲームを選択するためにトーナメント管理者に選択肢を提供する。次に、選択されたゲームは、トーナメントの中でシステムによって使用される。ゲームはいかなるモバイルゲームまたはツールでもよい。以上説明されるように、ゲームは第三者によって提供され、本発明のシステムにＡＰＩに統合されるかもしれない。
【００５０】
トーナメント種類モジュール（４１１）は一種の生成されたトーナメントを選択するためにトーナメント管理者に選択肢を提供するように構成される。トーナメント種類は、例えば、テレビ放送用トーナメント、ソーシャルメディア、ウェブ放送等用トーナメントのためのトーナメントなどの、開催地用トーナメントを含み得る。同じ日付の間計画された異なるトーナメント種類が同じ存在に属する異なる管理者によって制御されるかもしれないので、トーナメント型引数は有利である。したがって、異なるトーナメント種類用の異なるダッシュボードは各管理者が自身のそれぞれのトーナメントを操作することを許可するために生成される。異なる種類は単一のトーナメントに割り当てられるかもしれない。そのような事例では、管理者のどれが一般的なトーナメントを制御する演繹を有するかを判定する基準が入力され得る。
【００５１】
トーナメント説明モジュール（４１２）は、トーナメント管理者が説明文を加えて、かつ各トーナメントにそれを関連させることを可能にするために構成される。
【００５２】
トーナメント日付モジュール（４１４）はトーナメント管理者から日付を受け取るように構成される。また、この日付は、トーナメントが処理される場合に判定するべきシステムによって使用される。同じ日付および同じ種類をするトーナメントは、同じダッシュボードの下に置かれる。
【００５３】
賞品モジュール（４１６）は、トーナメントに対するカスタム賞品の入力名称および随意に画像へのトーナメント管理者を許可する。
【００５４】
オートメーションモジュール（４１８）はトグルで、生成されているトーナメントが手動でまたは自動的に開始されるかどうか（随意に中止された）コントロールする。スポーツチームなどの特定の開催地は、手動操作であるためにトーナメントを好むだろう。したがって、トーナメント管理者またはそれらのエージェントは、トーナメントの時に生じる事象の特定の必需品に従ってトーナメントを起動し、終えることができる。例えば、イベントがバスケットボールゲームで、トーナメントが、ハーフタイムから開始することになっている場合、それらのトーナメント主催者またはエージェントはバスケットボールゲームを追い、ハーフタイムにおいてリアルタイムにおいてゲームを正確に開始することができる。いくつかの実施形態では、オートメーションモジュールは、トーナメントの長さの選択を演繹的に許可する。例えば、手動で起動された後、トーナメントは一定時間を自動的に終了するだろう。他の実施形態では、オートメーションモジュールはリアルタイムにおいてトーナメントを手動で終えることを要求する。
【００５５】
直列モジュール（４２０）は、トーナメントが単一またはシリーズの一部であるかを制御する。単一のトーナメントでは、トーナメントの勝利者はトーナメントの末端に賞品を与えられる。トーナメントシリーズでは、ポイントがシリーズの各トーナメントにおいてプレーヤーに与えられる。シリーズの最後のトーナメントの終了において、少なくとも最多のポイント（トーナメントの基準に応じて）を持ったプレーヤーは、勝利者と宣言され、賞品を受賞するのに適格である。
【００５６】
随意に、多くの単一トーナメントが同じ時間（例えば同じ日（すなわち単一のイベントを囲むこと）で）に生じる場合、基準は同じの中に保持された単一のトーナメントの勝利者を排除するために入力することができる、同じ時間に保持された以下のトーナメントの勝利者と宣言される期間である。
【００５７】
一旦トーナメントが生成されたならば、それはより遅い使用のために鋳型として保護することができる。
【００５８】
図７は、本発明のいくつかの実施形態に従って、スコアボード生成モジュール（４０４）を例示するブロック図である。上記されたように、スコアボード画面は１つ以上の静止画像、生き生きした画像、一連の画像、映画、および／またはプレーヤーにトーナメントに関与するようにプレーヤーを激励するために示されるために構成された映画のシリーズを含み得る。
【００５９】
異なる存在（トーナメント管理者）は、それぞれのカスタマイズされた画面を有することを望むかもしれない。本発明のいくつかの実施形態では、スコアボード画面への関連付け情報は、生成された外部に、および記憶ツール（４４１）へとトーナメント管理者による入力で、ツール（４４２）を公表するかもしれない。記憶ツールは、１つ以上のスコアボード画面が将来の使用のためにデフォルトスコアボード情報画面ライブラリ（４４０）に記憶されることを可能にする。発行ツール（４４２）は、データ（例えば、１つ以上のＸＭＬは出願する）を出力し生成されたスコアボード画面を見るために生成されたＵＲＬの中のそのようなデータを埋め込むために構成される。
【００６０】
随意に、スコアボード画面生成ツール（４４４）は、トーナメント管理者がデフォルトライブラリ／データベース（４００）、ビジュアルアセットライブラリ（４４６）およびオーディオアセットライブラリ（４４８）からデフォルト画面に基づいた１つ以上の画面を生成することを許可するために構成される。本発明のいくつかの実施形態では、トーナメント管理者はビジュアルアセットライブラリおよびオーディオアセットライブラリにアセットをアップロードすることができる。ビジュアルアセットは画像である。または、ビデオオーディオアセットは記録された音である。随意に、プレビューツール（４５０）は、スコアボード画面のプレビューを示し、生成ツール（４４４）からデータを受け取るために構成される。
【００６１】
随意に、異なるスコアボード画面または一連のスコアボード画面は、異なる方法で指示することができる、したがって各ディスプレイは個々に（以下に説明されるだろうとして）制御することができる。
【００６２】
本発明のいくつかの実施形態で、スコアボード画面を生成する前に、トーナメント管理者は解像度選択ツール（４３０）によってスコアボード画面が示されることになっている（である）ディスプレイの解像度と一致する所望の解像度を選ぶことができる。
【００６３】
随意に、賞品の画像を示すデータは特定のトーナメントに対する賞品（４９７）を示すために発行ツール（４４２）およびプレビューツール（４５０）によって求めることができる。トーナメント用の各スコアボード（図１０および１１）はシステムに提供される入力によってシステムによって設定可能である。
【００６４】
図８は、トーナメント用の促進画面生成モジュールからのブロック図の例示するアウトプットである。トーナメント生成モジュール（４００）のアウトプットは生のトーナメントデータ（４８０）または最終トーナメントデータ（４８１）である。本発明のいくつかの実施形態では、トーナメント管理者は、促進による促進画面アウトプットが生成モジュールおよびゲーム画面生成モジュールによるゲーム画面アウトプット画面を、最終である、または広告主がそれらを修飾することができるかを決定することができる。画面が最終の場合、最終的なスコアボード（４８５）、（４８７）、（４８９）、最終ゲーム画面（４９１）、（４９３）および（４９５）をスクリーンするように、それらが保護される。それらを修飾することができる場合、生のスコアボード（４８４）、（４８６）、（４８８）、生のゲーム画面（４９０）、（４９２）および（４９４）をスクリーンするように、それらが保護される。
【００６５】
広告主は広告キャンペーンモジュール（７０４）によって生の画面にアクセスし、それらへの変化を適用することができる。そのような変化がトーナメント管理者に許容可能である場合、生の画面は最終的な画面に変換される。
【００６６】
図９−１４は広告（４９９）で最終のスコアボード画面の画面図である。随意に、生のスコアボード画面が生成される場合、広告用空間は同様に作られる。広告用各空間はトーナメント管理者に特定サイズを選んでもらう。広告主が特定サイズと一致する広告画像を生成することができるように、特定サイズは公称である。
【００６７】
トーナメントが行なわれている間、図１０は、トーナメントのプレーヤーの名前、画像およびプロフィールを示して例示する。トーナメントが入力された後、図１１はトーナメントの最高の名人を示して例示する。
【００６８】
図９−１１に例示される画面は、図１で論じられたＵＲＬにおいてあらかじめ決められた時間において他方の後に表示される一連の画面の一部であることが留意されるべきである。さらに、図１２−１４は第２の一連の画面の一部である。図９−１１の画面は、第１の解像度および／または縦横比（例えば９２０×５４０ピクセル）を有し、一方、図１２−１４の画面には第２の解像度および／または縦横比（例えば７２０×５７６ピクセル）がある。画面の両方のセットはＵＲＬアドレスの後にそれぞれのパラメータをタイプすることによりＵＲＬによってアクセスすることができる。
【００６９】
図１５は、本発明のいくつかの実施形態に従って、ゲーム画面生成モジュールを例示するブロック図である。ゲーム画面生成モジュール（４０６）はスコアボード生成モジュール（４０４）に類似する。スコアボード画面を生成する代わりに、ゲーム画面生成モジュールは、広告地域としてトーナメント管理者がモバイルゲームの異なる画面内の領域を指定することを可能にする。これらの広告地域は、広告に関して公称特定サイズを有している。図１６−１８は、スポンサー画像（４６５）が挿入されるゲームの異なる画面を示す。スポンサー画像は静止画像または動画かもしれない。随意に、プレーヤーは第１の巻数をプレーするために制限されているかもしれない。プレーヤーがもっと演じたい場合、第１の巻数より目を向ける、システムは、アクセスするために動作（例えば、映画を見てウェブサイトにアクセスする、アプリケーション等をダウンロードする）を実行するようにプレーヤーに促すかもしれないことに、もっと目を向ける。
【００７０】
図１９は、本発明のいくつかの実施形態に従ってダッシュボードの生成を例証するブロック図である。特定の管理者によって生成された好きな時間または時間間隔の各トーナメントからの最終データ（４８１）は、ダッシュボードデータ（５００）を生成するために使用される。
【００７１】
図２０は、本発明のダッシュボードモジュール（５０１）を例示するブロック図である。ダッシュボードモジュール（５０１）は編集ツール（５０２）および起動モジュール（５０４）を含む。編集モジュール（５０２）は、ダッシュボードがそのために生成された日付が示される（例えば５月１日、５日、９日等）カレンダ画面（図２１）を開く。一旦特定の日付が選択されると、同じ日付の異なるダッシュボードを示す画面が開かれる（図２２）。一旦特定のダッシュボードが選択されれば、ダッシュボードの図的表現が示される（図２３）。
【００７２】
ダッシュボードの編集は、スコアボード画面の解像度（例えばＳＤ、ＳＤ、１０００ｘ６００）の選択、ゲームの順序の変更、説明の変更の１つ以上を含み得る。
【００７３】
起動ツール（５０４）（図２０）によってダッシュボードを起動することは以下の１つ以上を与える：前ゲームスコアボード画面を示すＵＲＬのブラウザページを開くこと、トーナメントの開始およびゲーム内スコアボードを示すＵＲＬのブラウザページを開くこと、トーナメントを終わらせおよびトーナメントの最終的なスコアボ−ドを示すスコアボード画面のＵＲＬを起動すること。
【００７４】
随意に、異なるトーナメントが起動され非活性化されるように、ステータスウィンドウが更新される。
【００７５】
図２４−２９は興味のあるデータの跡を追うためのレポートに関する。以下に表記されたデータは非限定的な例である。追加データもレポートに含まれ得る。
【００７６】
図２４および２５はトーナメント管理者レポートモジュールおよび広告主レポートモジュールをそれぞれ示す。両方のモジュールはトーナメントレポートツールおよび賞品のレポートツールを含む。トーナメント管理者レポートモジュールは広告主レポートツールを含む。広告主レポートモジュールは開催地レポートツールを含む。
【００７７】
図２６はトーナメントレポート（各トーナメントはそれぞれのウィンドウに関係する）を示す。トーナメントウィンドウは、トーナメント期日、時間、名前、持続期間、広告主、開催地および賞品に関する情報を含む。随意に、ユーザーおよびそのようなユーザーに関する詳細の数も含まれている。
【００７８】
賞品のレポート（図２７）では、レポートは、各種類の別個の段落を表記するかもしれない、賞品、メトリクス、および賞品のメトリクスは、金銭価値、または賞品（玩具または器具または電気等）の、および各賞品、メトリクスのカテゴリーに関連するそれぞれの部分またはウィンドウでありえる。随意に、のために、各、賞品、メトリクス、メトリクスのものに対応する賞品が与えられたトーナメントが表記される。代替的にまたは付加的に、特定の賞品メトリクスを有する賞品が与えられるトーナメントの数は、ユーザーの総数、および１つのトーナメント当たりのユーザーの平均数に加えて示される。
【００７９】
開催地レポート（図２８）で、各開催地メトリクスは、画面またはウィンドウのそれぞれの部分に関連する。開催地は例えば、座席定員、開催地（例えば閉じた競技場、オープンスタジアム、アウトドア分野、コンサートホール等）の種類、各開催地に向かって随意に、メトリクス、開催地で保持されたトーナメント、同じメトリクスを共有する競合したプレーヤー、賞品が与えられたもの等、代替的にまたは付加的に開催地で保持されたトーナメント数の数などの関連付けられた個人データ数値と共に表記され、示されるユーザーの総数、および１つのトーナメント当たりのユーザーの平均数と共に含まれる。
【００８０】
広告主レポート（図２９）では、各広告主はそれぞれのウィンドウに関係する。随意に、各広告主のために、広告主によって支持されたトーナメントは表記した。代替的にまたは付加的に、広告主によって支持されたトーナメントの数は、ユーザーの総数、および１つのトーナメント当たりのユーザーの平均数に加えて示される。
【００８１】
図３０は、グローバルデータレポートを生成するために異なる広告主／開催地からのデータ処理を示すブロック図であり、全てのトーナメント管理者および広告主に提供可能である。
【００８２】
異なる開催地および広告主によって／保持されたトーナメントにおいて生成されたいくつかのデータは、グローバルレポートを産出するデータ処理モジュールにおいてプロセシングされている。そのようなグローバルなレポートはいくらかまたは全てのトーナメント管理者および／または広告主によって見ることができる。
【００８３】
変化形体では、カスタマイズされたスコアボードは、実施された各コンピューターゲームトーナメントのために生成される。プロセッサーおよびメモリでシステムは、命令は本明細書の上記方法の変化形体のいずれかを含み、その上に格納し、構成されるかもしれない。
【００８４】
別の変化形体では、コンピューターにより実行される方法は：ユーザーにトーナメントデータの入力を促す入力インターフェースを表示する工程；トーナメントデータを受信する工程；ユーザーにスコアボードデータの入力を促す入力インターフェースを表示する工程；スコアボードデータを受信する工程；トーナメントデータに従ってコンピューターゲームトーナメントを操作する工程；スコアボードデータおよびトーナメントの操作によって生成されたデータに従って、操作されるトーナメント用にカスタマイズされた、カスタマイズされたトーナメントスコアボードを生成する工程；カスタマイズされたトーナメントスコアボードにプレーヤー情報を表示する工程、を含む。
【００８５】
さらなる変化形体では、方法はさらに、カスタマイズされたトーナメントスコアボードを指すＵＲＬを生成する工程；およびローカルディスプレイシステムおよび／または報通信システムに、カスタマイズされたトーナメントスコアボードを表示させるＵＲＬにアクセスする工程を含む。
【００８６】
さらに方法の別の変化形体では、プレーヤー情報には、プレーヤーに関連する画像、およびプレーヤーに関連する名前、および操作されたトーナメントにおいてプレーヤーによって達成されたスコアが含まれる。
【００８７】
また方法のさらなる変形において、スコアボードデータは、背景画像（賞品の画像およびスポンサー画像）の少なくとも１つを含む。スコアボードデータは随意にオーディオトラックを含むかもしれない。
【００８８】
変化形体では、コンピューターにより実行される方法は：第１のユーザーにトーナメントデータの入力を促す第１の入力インターフェースを表示する工程；トーナメントデータを受信する工程；第１のユーザーにスコアボードデータの入力を促す第２の入力インターフェースを表示する工程；第１のユーザーからスコアボードデータを受信する工程；追加のスコアボードデータを入力するように第２のユーザーに促す第３の入力インターフェースを表示する工程；スコアボードデータおよび追加のスコアボードデータを受信する工程；トーナメントデータに従ってコンピューターゲームトーナメントを操作する工程；スコアボードデータと追加のスコアボードと、トーナメントの操作によって生成されたデータに従って、操作されるトーナメント用にカスタマイズされた、カスタマイズされたトーナメントスコアボードを生成する工程；カスタマイズされたトーナメントスコアボードにプレーヤー情報を表示する工程、を含む。
【００８９】
別の変化形体では、方法は、カスタマイズされたトーナメントスコアボードを指すためにＵＲＬを生成する工程、およびローカルディスプレイシステムおよび／または報通信システムに、カスタマイズされたトーナメントスコアボードを表示させるＵＲＬにアクセスする工程をさらに含む。
【００９０】
さらなる変化形体では、コンピューターにより実行される方法は：トーナメントデータを受信するように構成された電子トーナメント生成装置を操作する工程を含む。例えば、トーナメントデータは、賞品、開催地、ゲーム、ソーシャルメディア、マスメディアトーナメント、スポンサー内の日付を含み得る。該方法は、１つ以上のメトリクスに従ってトーナメントデータのいくつかを特徴づける工程；コンピューターをベースにした複数のゲームトーナメントを操作する工程；トーナメントに参加するプレーヤーに関する出力データを受信する工程；データベースにデータを記憶する工程；メトリクスを選択するようにユーザーに促す工程；データベースに記憶されたデータに基づいて、選択されたメトリクスの１つに従ってデータを体系づける工程；および、出力データメトリクスへの選択されたメトリクスを、トーナメントから生成された出力データに一致させる工程を含む。１つ以上のメトリクスに従って特徴づけられた、例えば賞品に、金銭価値を割り当てているだろう。
【００９１】
場合によっては、第三者データアクセスを有するトーナメント発生装置は、特定のメトリクスによるデータのいくつかを特徴づける。スポーツチームがトーナメントを有しており、トーナメントを生成した人が適切に賞品を特徴づけない場合、第三者（例えばシステムの従業員）はメトリクスを入力してもよい。
【００９２】
さらに方法の別の変化形体では、トーナメントデータは、開催地、賞品、スポンサー名およびトーナメントの種類の１つ以上を含む。トーナメントが公衆にどのように知られているまたは宣伝されているかによって、トーナメント種類は定義され得る。例えばスポーツイベント中のソーシャルメディア、テレビ放送、インターネット。
【００９３】
さらなる方法の変形において、出力データの受信はトーナメントでプレーした男性および女性のプレーヤーの数およびプレーヤーの地理的位置の受信を含む。
【００９４】
変化形体では、レポートを生成する工程は、ユーザーへの、個々のメトリクスに関する計数の返信を含む。
【００９５】
別の変化形体では、出力データは、プレーヤーの数、得点、ランク、ＩＤ名、年齢、プロフィール、性別、地理的な位置のいずれか１つ以上を含む。
【００９６】
変化形体では、１つ以上のメトリクスは、賞品の種類、賞品の金銭価値、開催地の座席定員、開催地の位置、トーナメントの時刻、スポンサーの業種のいずれか１つ以上を含む。
【００９７】
またさらなる変形において、方法は、各ユーザーに特有の複数のトーナメントを生成するためにトーナメント生成装置を操作する複数のユーザーであって、各トーナメントに関する出力データは、特定のトーナメントを操作しているそれぞれのユーザーにとってアクセス可能である、複数のユーザーを含む。トーナメントの操作は、例えば、それを設定し、所有者であり、トーナメントを広告し得る。ユーザーによってされたトーナメントからのトーナメントデータメトリクスおよび出力データを工程、およびユーザーにとってアクセス可能であり、かつ組み合わされたトーナメントデータメトリクスと出力データを含むグローバルレポートを生成する工程、を含む。
【００９８】
さらに別の変化形体では、グローバルレポート内のメトリクスは、開催地メトリクス、賞品メトリクス、トーナメントの種類およびスポンサーメトリクスの１つ以上を含む。
【００９９】
一実施例で、グローバルデータは、個々のトーナメントデータではなく一般的なメトリクスだけを含んでいる。例えば、スポンサー名および開催地名は含まれていない、しかしグローバルデータは、開催地種類（座席定員）、賞品、メトリクス、トーナメント種類を含む。
【０１００】
例えば、開催地、賞品、スポンサートーナメント種類、および任意の説明レポート（それはそのへんにデータを生成することができる）の中で使用することができる。トーナメントクリエーターは、その聴衆がトーナメントの異なる特性にどのように反応するか見つけ出したい。このデータは、どの特徴が、最多の反応、プレーヤー、参加等を得ることにおいて重要な役割を演じるかを知らせる情報を提供する。
【０１０１】
変化形体では、電子ゲームトーナメントを生成するためのシステムであって、該システムは、プロセッサーおよび記憶された指示を有するメモリを含み、該システムが実行されるとプロセッサーは：ユーザーにトーナメントデータの入力を促す入力インターフェース；
ユーザーにスコアボードデータの入力を促す入力インターフェース；トーナメントデータによるコンピューターゲームトーナメント；スコアボードデータおよびトーナメントの操作によって生成されたデータに従って、操作されるトーナメント用にカスタマイズされた、カスタマイズされたトーナメントスコアボード；カスタマイズされたトーナメントスコアボードへのプレーヤー情報の表示を生成する。
【０１０２】
別の変化形体では、電子ゲームトーナメントを生成するためのシステムであって、該システムは、プロセッサーおよび記憶された指示を有するメモリを含み、該システムが実行されるとプロセッサーは：１つ以上のメトリクスに従って、トーナメントデータおよびいくつかのトーナメントデータの特徴づけを受信するように構成された電子トーナメント生成装置；コンピューターをベースにした複数のゲームトーナメント；トーナメントに参加するプレーヤーに関する出力データ；トーナメントデータおよび出力データのデータベース；ユーザーにメトリクスを選択させるプロンプト；データベースに記憶されたデータに基づいて、選択されたメトリクスの１つに係る体系化された形式のデータ；および、出力データメトリクスへの選択されたメトリクスを、トーナメントから生成された出力データに一致させるレポート、を含む。
【図１Ａ】
2019515771.tif 000002
【図１Ｂ】
2019515771.tif 000003
【図２Ａ】
2019515771.tif 000004
【図２Ｂ】
2019515771.tif 000005
【図３】
2019515771.tif 000006
【図４】
2019515771.tif 000007
【図５】
2019515771.tif 000008
【図６】
2019515771.tif 000009
【図７】
2019515771.tif 000010
【図８】
2019515771.tif 000011
【図９】
2019515771.tif 000012
【図１０】
2019515771.tif 000013
【図１１】
2019515771.tif 000014
【図１２】
2019515771.tif 000015
【図１３】
2019515771.tif 000016
【図１４】
2019515771.tif 000017
【図１５】
2019515771.tif 000018
【図１６】
2019515771.tif 000019
【図１７】
2019515771.tif 000020
【図１８】
2019515771.tif 000021
【図１９】
2019515771.tif 000022
【図２０】
2019515771.tif 000023
【図２１】
2019515771.tif 000024
【図２２】
2019515771.tif 000025
【図２３】
2019515771.tif 000026
【図２４】
2019515771.tif 000027
【図２５】
2019515771.tif 000028
【図２６】
2019515771.tif 000029
【図２７】
2019515771.tif 000030
【図２８】
2019515771.tif 000031
【図２９】
2019515771.tif 000032
【図３０】
2019515771.tif 000033
【国際調査報告】
2019515771.tif 000034